(57)【要約】【課題】測定誤差の低減と測定の迅速性を確保すること。【解決手段】粘度計は、粘度計本体１０と、スライド支柱１２と、昇降機１４と、サンプル容器１６とを有している。スライド支柱１２は、ベース台２６に下端が固定され、粘度計本体１０を上下移動自在に支持する。昇降機１４は、ベース台２６に着脱可能に位置決め固定される。サンプル容器１６は、昇降機１４に着脱可能に位置決め固定され、粘度計本体１０が有する測定子２０が上方から浸漬される専用のものである。粘度計本体１０の上下移動は、スライド支柱１２により粗調整するとともに、昇降機１４によりサンプル容器１６の上下移動を微調整する。【選択図】    図１
2005003519.tif 000002
【特許請求の範囲】
【請求項１】
ベース台に下端が固定され、粘度計本体を上下移動自在に支持するスライド支柱と、
前記ベース台に着脱可能に位置決め固定される昇降機と、
前記昇降機に着脱可能に位置決め固定され、前記粘度計本体が有する測定子が上方から浸漬される専用のサンプル容器とを備えた粘度計であって、
前記スライド支柱により前記粘度計本体の上下移動を粗調整するとともに、前記昇降機により前記サンプル容器の上下移動を微調整することを特徴とする粘度計。
【請求項２】
前記スライド支柱は、前記ベース台に立設された支柱部と、前記支柱部に上下移動自在に支持されたスライダーと、前記スライダーを上下移動させる移動機構とを備え、
前記スライダーに前記粘度計本体を取付けたことを特徴とする請求項１記載の粘度計。
【請求項３】
前記昇降機は、対向配置される天板および底板と、前記天板と底板との間に設けられるパンタグラフ状の昇降機構と、前記昇降機構の調整ねじとを有することを特徴とする請求項１記載の粘度計。
【請求項４】
前記ベース台は、上面に固設された前記昇降機用位置決め固定部を有し、
前記位置決め固定部は、前記昇降機の前記底板の２側面に当接する一対のガイト部と、前記ガイド部に案内された前記底板の背面に当接するストッパと、前記底板の前面に当接するように螺着される固定ねじとを有することを特徴とする請求項３記載の粘度計。
【請求項５】
前記昇降機には、前記天板に前記サンプル容器用位置決め固定部が設けられ、
前記位置決め固定部は、一端が前記天板に片持ち梁状に固定された弾性材からなる一対の固定プレートを備え、
前記固定プレートの自由端側から、前記サンプル容器を挿入することで、前記サンプル容器の底面に固設された取付け板の溝部に、前記固定プレートを嵌合することを特徴とする請求項４記載の粘度計。
【発明の詳細な説明】
【０００１】
【発明の属する技術分野】
この発明は、粘度計に関ものである。
【０００２】
【従来の技術】
液体の粘度を測定し、品質管理などに利用する粘度計は、例えば、食品生産の際などに広く利用されている。このような用途に用いられる粘度計としては、例えば、特許文献１に開示されている振動式の粘度計や、特許文献２に開示されている回転式粘度計が知られている。
【０００３】
このような振動式ないしは回転式の粘度計においては、サンプル液（被測定物）中に測定子（振動子やスピンドル）を浸漬して、測定子を変位させる加振力や回転力を発生させて、粘度を測定する。
【０００４】
上述した方式の粘度測定では、例えば、特許文献２に示されているように、ビーカーをサンプル溶液の収容容器として用いているが、測定子との位置関係（Ｘ，Ｙ，Ｚ軸）が測定ごとに変わると、粘度の測定値に誤差が生じる。
【０００５】
この場合、特に、Ｚ軸方向の位置関係については、サンプル液中に浸漬されている測定子の体積により、測定子に発生させる力が変化し、粘度測定の誤差となるので、サンプル液面に対する測定子の高さは、常に一定になるようにする必要がある。
【０００６】
そこで、特許文献２には、粘度計本体をラックピニオン式の駆動機構を備えたスタンドに上下移動自在に支持し、ピニオンをモータで駆動させる昇降機構が開示されている。
【０００７】
しかしながら、特許文献２に開示されている粘度計には、以下に説明する技術的な課題があった。
【０００８】
【特許文献１】
特開平８−１２８９４０号公報
【特許文献２】
特公平８−１６６４５号公報
【０００９】
【発明が解決しようとする課題】
すなわち、特許文献２に開示されている粘度計では、ビーカーのＸ，Ｙ軸方向の位置決め手段がないので、ビーカーがランダムに設置されると、内部に浸漬される測定子とビーカーの内壁との間の距離が変わり、測定子表面に発生するずり応力に変化が発生して、粘度値に誤差が含まれる。
【００１０】
また、Ｚ軸方向の高さ調整は、非常に微妙な調整となるが、ラックピニオン方式の昇降機構でこれを実現しようとすると、ピニオンのギア数を多くして、回転数を大きく落とすことになり、このような構造のラックピニオンは、部品のコストが高く、粘度計が高価なものとなる。
【００１１】
また、ピニオンのギア数を多くして、回転数を落とすと、測定子をビーカーの上方から下降させて、ビーカー内のサンプル溶液に接触させるまでに、時間がかかり、測定の迅速性が損なわれるという問題もあった。
【００１２】
本発明は、このような従来の問題点に鑑みてなされたものであって、その目的とするところは、高価格化を回避しつつ、測定誤差の低減と測定の迅速性とを達成することができる粘度計を提供することにある。
【００１３】
【課題を解決するための手段】
上記目的を達成するために、本発明は、ベース台に下端が固定され、粘度計本体を上下移動自在に支持するスライド支柱と、前記ベース台に着脱可能に位置決め固定される昇降機と、前記昇降機に着脱可能に位置決め固定され、前記粘度計本体が有する測定子が上方から浸漬される専用のサンプル容器とを備えた粘度計であって、前記スライド支柱により前記粘度計本体の上下移動を粗調整するとともに、前記昇降機により前記サンプル容器の上下移動を微調整するようにした。
【００１４】
このように構成した粘度計によれば、サンプル容器は、専用であって、昇降機に着脱可能に位置決め固定され、昇降機は、ベース台に着脱可能に位置決め固定されるので、粘度計本体の測定子と、この測定子が浸漬されるサンプル容器とのＸ，Ｙ軸方向の位置関係は、一義的に決まり、測定子表面に発生するずり応力に起因する測定誤差は、発生しない。
【００１５】
また、粘度計本体の上下移動は、スライド支柱により粗調整するとともに、昇降機によりサンプル容器の上下移動を微調整するので、一方向から上下移動させる場合よりも、高さ方向の位置調整が容易、かつ、迅速に行える。
【００１６】
前記スライド支柱は、前記ベース台に立設された支柱部と、前記支柱部に上下移動自在に支持されたスライダーと、前記スライダーを上下移動させる移動機構とを備え、前記スライダーに前記粘度計本体を取付けることができる。
【００１７】
前記昇降機は、対向配置される天板および底板と、前記天板と底板との間に設けられるパンタグラフ状の昇降機構と、前記昇降機構の調整ねじとで構成することができる。
【００１８】
前記ベース台は、上面に固設された前記昇降機用位置決め固定部を有し、前記位置決め固定部は、前記昇降機の前記底板の２側面に当接する一対のガイト部と、前記ガイド部に案内された前記底板の背面に当接するストッパと、前記底板の前面に当接するように螺着される固定ねじとで構成することができる。
【００１９】
前記昇降機には、前記天板に前記サンプル容器用位置決め固定部が設けられ、前記位置決め固定部は、一端が前記天板に片持ち梁状に固定された弾性材からなる一対の固定プレートを備え、前記固定プレートの自由端側から、前記サンプル容器を挿入することで、前記サンプル容器の底面に固設された取付け板の溝部に、前記固定プレートを嵌合することができる。
【００２０】
【発明の実施の形態】
以下、本発明の好適な実施の形態について、添付図面に基づいて詳細に説明する。図１から図４は、本発明にかかる粘度計の一実施例を示している。同図に示した粘度計は、粘度計本体１０と、スライド支柱１２と、昇降機１４と、サンプル容器１６と、表示器１８を有している。
【００２１】
粘度計本体１０は、振動式のものであって、内部に電磁駆動部や変位センサなどが設けられ、下端側に薄板状の測定子２０が突出するように設けられおり、測定子２０の外方には、凹形のプロテクタ２２が設置されている。
【００２２】
このプロテクタ２２は、測定子２０をサンプル容器１６内に浸漬する際に、測定子２０の先端や側面よりも早く容器１６に接触して、測定子２０の変形を防止するとともに、測定子２０に外方から外力が加えられることを防止する。
【００２３】
また、このプロテクタ２２は、粘度計本体１０に回動自在に支持されていて、つまみ２４を操作することにより、上方に回動させて、測定子２０の清掃などが行えるようになっている。
【００２４】
なお、図１および図２において、測定子２０の中央部分に垂設されたものは、サンプル容器１６内に収容される被測定サンプル中に浸漬されて、その温度を検出する温度センサ２５である。
【００２５】
スライド支柱１２は、台形状に形成された平板状のベース台２６の一端に下端が固定され、粘度計本体１０を上下移動自在に支持しており、支柱部１２ａと、スライダー１２ｂと、移動機構１２ｃとを備えている。
【００２６】
ベース台２６の下面には、幅広側の角部に高さ位置調整用つまみ２６ａが一対設けられている。支柱部１２ａは、下端がベース台２６に固定され、その上方に立設されていて、側面にガイド溝が設けられ、この溝にスライダー１２ｂ嵌合することにより、スライダー１２ｂを上下移動自在に支持している。
【００２７】
スライダー１２ｂは、支柱部１２ａの外周に嵌合するように配置され、前面側に粘度計本体１０が取付けられている。移動機構１２ｃは、スライダー１２ｂの背面側に配置され、本実施例の場合には、ラックピニオン機構で構成され、ピニオンの回転軸には、つまみ１２ｄが設けられ、つまみ１２ｄは、移動機構１２の側面に突設されている。
【００２８】
移動機構１２のラックは、つまみ１２ｄの先端に固設されたピニオンと歯合し、支柱部１２ａの背面側の側面に刻設されている。このように構成した移動機構１２によれば、つまみ１２ｄを回すことにより、スライダー１２ｂは、支柱部１２ａの上下方向に移動する。
【００２９】
なお、スライダー１２ｂの上下移動機構は、上述したラックピニオンに限る必要はなく、例えば、スライダー１２ｂを支柱部１２ａの外周に設けた複数の溝に密着嵌合させて、上下移動自在に取付け、レバー操作によりスライダー１２ｂを任意の位置に停止するストッパをつまみ１２ｄに替えて設けておき、スライダー１２ｂを移動させる際には、レバーを緩めて、後方に設けた取手を握って、スライダー１２ｂを上下方向に移動させる構成でもよい。
【００３０】
また、表示器１８は、スライダー１２ｂに支持されている粘度計本体１０とリード線を介して、電気的に接続され、測定結果を表示したり、あるいは測定条件に関する各種の設定が行われる。
【００３１】
昇降機１４は、ラボラトリジャッキと呼ばれ、微妙な昇降移動が調整しながら行えるものであって、図２に上昇移動させた場合、図３に下降させた場合のそれぞれ示すように、ベース台２６の概略中央部分に、昇降機構用位置決め固定部２８を介して、着脱可能に位置決め固定される。
【００３２】
本実施例の場合、昇降機１４は、対向配置される天板１４ａおよび底板１４ｂと、天板１４ａと底板１４ｂとの間に設けられるパンタグラフ状の昇降機構１４ｃと、昇降機構１４ｃの調整ねじ１４ｄとで構成している。
【００３３】
天板１４ａおよび底板１４ｂは、概略正方形状に形成されている。昇降機構１４ｃは、バネが内蔵された昇降機構であって、パンタグラフ状に上下方向に伸縮移動し、この伸縮移動量は、昇降機構１４ｃに介装されている調整ねじ１４ｄにより調整される。
【００３４】
昇降機構用位置決め固定部２８は、図２から図４にその詳細を示すように、板状の本体２８ａと、ガイド部２８ｂと、ストッパ２８ｃと、固定ねじ２８ｄとを有している。
【００３５】
板状の本体２８ａは、昇降機１４の底板１４ｂとほぼ同じ大きさの正方形状の板材であって、ベース台２６の上面に固定されている。ガイド部２８ｂは、昇降機１４の底板１４ｂの２側面に当接するように、所定の間隔を隔てて、本体２８ａの両側に対向配置されている。
【００３６】
ストッパ２８ｃは、ガイド部２８ｂに案内された底板１４ｂの背面に当接して、その後方移動を規制するものであって、本体２８ａの端縁に起立形成されている。固定ねじ２８ｄは、ガイド部２８ｂに案内された底板１４ｂが、ストッパ２８ｃに当接した際に、底板１４ｂの前面に当接するように螺着される。
【００３７】
このように構成した昇降機構用位置決め固定部２８によれば、昇降機１４の底板１４の２側面は、ガイド部２８ｂに当接することにより側方移動が規制され、前後方向は、ストッパ２８ｃおよび固定ねじ２８ｄに当接することで、同様に側方移動が規制され、これにより、昇降機１４は、ＸおよびＹ軸方向の位置決めが行われるとともに、固定ねじ２８ｄを取り除くことで、昇降機１４は、固定部２８から脱着することもできる。
【００３８】
なお、昇降機１４の固定部２８への取付けは、固定部２８が正方形状なので、昇降機１４の調整ねじ１４ｄは、前後左右のいずれかの方向を向くように、取付けることができる。
【００３９】
一方、サンプル容器１６は、本実施例の場合、振動式粘度計の専用容器であって、透明プラスチック材で構成された角形容器部１６ａと、この容器部１６ａの下面側に一体に固設された取付け板１６ｂとを備えている。
【００４０】
角形容器部１６ａは、断面が、例えば、３０×６０ｍｍ程度の長方形状に形成され、取付け板１６ｂは、容器部１６ａよりも大きな長方形状に形成されていて、その両端側には、溝１６ｃが設けられている。
【００４１】
昇降機１４の天板１４ａには、サンプル容器用位置決め固定部３０が設けられている。このサンプル容器用位置決め固定部３０は、一端が天板１４ａに片持ち梁状に固定された固定プレート３０ａを備えている。固定プレート３０ａは、例えば、金属薄板などの弾性材から構成され、一対が所定の間隔を隔てて配置されている。
【００４２】
サンプル容器１６は、固定プレート３０ａの自由端側から、取付け板１６ｂを挿入し、取付け板１６ｂの溝部１６ｃに、固定プレート３０ａを嵌合することで、挟持固定される。
【００４３】
このような固定部３０の構成によれば、固定プレート３０ａの下面側に取付け板１６ｂを挿入すると、固定プレート３０ａの弾性力により、取付け板１６ｂを天板１４ａとの間に挟持し、かつ、固定プレート３０ａが溝部１６ｃに嵌合することにより、サンプル容器１６の側方移動が規制されるので、サンプル容器１６は、ＸおよびＹ軸方向の位置決めが行われるとともに、固定プレート３０ａから取付け板１６ｂを取り外すと、サンプル容器１６は、固定部３０から脱着することもできる。
【００４４】
以上のように構成された粘度計では、昇降機１４が固定部２８に位置決め固定され、被測定サンプルが収容されたサンプル容器１６も、昇降機１４の天板１４ａに設けられた固定部３０に位置決め固定されることで測定が可能になる。
【００４５】
粘度計による粘度測定では、粘度計本体１０の測定子２０をサンプル容器１６内に収容されている被測定サンプルに浸漬するが、その際に、本実施例の粘度計では、以下の操作が行われる。
【００４６】
すなわち、粘度計本体１０をサンプル容器１６に向けて降下させるが、その際に、まず、スライド支柱１２により粘度計本体１０の上下移動を粗調整する。この粗調整は、スライド支柱１２のつまみ１２ｄを回転させて、ラックピニオン機構からなる移動機構１２ｃによりスライダー１２ｂを下降移動させて、測定子２０の下端が、被測定サンプルの上方に所定の距離、例えば、角形容器部１６の上端に到達した位置、あるいは、測定子の下端が、被測定サンプルの上面に接触する位置まで移動させる。
【００４７】
なお、この粗調整による下降移動は、目標が明確であれば、上記した位置以外の位置に留めることもできる。このような粗調整が終了すると、次に、昇降機１４によりサンプル容器１６の上下移動を微調整する。
【００４８】
この微調整は、昇降機１６の調整ねじ１４ｄを操作して、測定子２０が被測定サンプルに所定の位置まで浸漬されるように、慎重に行い、この微調整が終了すると、粘度測定が行われる。
【００４９】
さて、以上のように構成した粘度計によれば、サンプル容器１６は、専用であって、昇降機１４に着脱可能に位置決め固定され、昇降機１４は、ベース台２６に着脱可能に位置決め固定されるので、粘度計本体１０の測定子２０と、この測定子２０が浸漬されるサンプル容器１６とのＸ，Ｙ軸方向の位置関係は、一義的に決まり、測定子２０表面に発生するずり応力に起因する測定誤差は、発生しない。
【００５０】
また、粘度計本体１０の上下移動は、スライド支柱１２により粗調整するとともに、昇降機１４によりサンプル容器１６の上下移動を微調整するので、一方向から上下移動させる場合よりも、高さ方向の位置調整が容易、かつ、迅速に行える。
【００５１】
なお、上記実施例では、振動式の粘度計を例にして説明したが、本発明の実施は、これに限定されることはなく、回転式の粘度計にも適用することができる。
【００５２】
【発明の効果】
以上、詳細に説明したように、本発明にかかる粘度計によれば、高価格化を回避しつつ、測定誤差の低減と測定の迅速性とを達成することができる。
【図面の簡単な説明】
【図１】本発明にかかる粘度計の位置実施例を示す全体構成の斜視図である。
【図２】図１に示した粘度計の正面図である。
【図３】図１に示した粘度計の側面図である。
【図４】図１に示した粘度計の要部上面図である。
【符号の説明】
１０        粘度計本体
１２        スライド支柱
１４        昇降機
１６        サンプル容器
１８        表示器
２０        測定子
２６        ベース台
２８        固定部（昇降機用）
３０        固定部（サンプル容器用）
【図１】
2005003519.tif 000003
【図２】
2005003519.tif 000004
【図３】
2005003519.tif 000005
【図４】
2005003519.tif 000006